(57)【要約】【課題】路面のみならず屋根上の積雪にも対応できる除雪具を提供する。【解決手段】適宜形状の湾曲板体による除雪板を設け、該除雪板の凸面中央に、雌ねじを刻設したＴ形管体による接続管を設け、その一端に雄ねじを刻設した柄を設けて該柄を前記接続管に螺着させたことを特徴とする。【選択図】図２
2010090682.tif 000002
【特許請求の範囲】
【請求項１】
適宜形状の湾曲板体による除雪板を設け、該除雪板の凸面中央に、雌ねじを刻設したＴ形管体による接続管を設け、その一端に雄ねじを刻設した柄を設けて該柄を前記接続管に螺着させたことを特徴とする角度可変型除雪具。
【請求項２】
接続管と柄の螺着方式による固定に代えて、ピンと切除部による回動機構部方式を用いてなる請求項１記載の角度可変型除雪具。
【発明の詳細な説明】
【技術分野】
【０００１】  この発明は、柄に対する除雪板の角度を可変とした、角度可変型の除雪具に関する。
【背景技術】
【０００２】  従来より、種々の除雪具が多用されているが、本発明に示すように、柄に対する除雪板の角度を変更できるものは見あたらない。
【発明の開示】
【発明が解決しようとする課題】
【０００３】  除雪具は降雪地域においては必需品である。一般的にはスコップやその類似品、積み込み型手押し式除雪具（通称スノーダンプ）、押し込み型除雪具（通称スノーラッセル）などがよく利用されている。この中で、押し込み型のものは、押し込み板としての湾曲板凸面中央にほぼ直角に柄をつけたもので、路面の雪を押し出すときなどに使われている。
雪は路面以外に家の屋根にも堆積し、急勾配の屋根では一定量が堆積するとその自重で自動落下するが、その勾配が比較的緩やかな屋根では人力にてこの雪を排雪しなければならない。この場合、屋根上に人が上って排雪したりする。また、雪が堆積していくと屋根下縁から巻き込むように垂れ下がってくる。雪の裏面は日中の気温にて少し溶けたものが夜間に凍り付いて重量が増し、この落下は危険である。ときには暖気で溶けてつらら状になったりすればさらに危険度が高まってくる。
このような場合に、この巻き込んだ雪を人為的に落下させる適当な用具が無く、一般の除雪具でたたいたりしているが十分なものではなく、より適切な用具の開発が望まれている。
本発明は、以上のような従来からの除雪具に関わる課題を解決するために発明されたもので、除雪板に対する柄の角度を可変とすることで、押す引く双方の作業を可能とした、より有用なる除雪具を提供することを目的として開発されたものである。
【課題を解決するための手段】
【０００４】  課題を解決する手段として本発明は以下の構成とした。
すなわち、適宜形状の湾曲板体による除雪板を設け、該除雪板の凸面中央に、雌ねじを刻設したＴ形管体による接続管を設け、その一端に雄ねじを刻設した柄を設けて該柄を前記接続管に螺着させる。本発明は以上の構成よりなる角度可変型除雪具である。
なお、接続管と柄の螺着方式による固定に代えて、ピンと切除部による回動機構部方式を用いて構成してもよい。
【発明の効果】
【０００５】  本発明によれば、除雪板に対して柄の角度が可変のため、押す除雪のみならず引く除雪も可能となり、路面の除雪に加えて屋根の除雪も可能となる有用なる除雪用具を得ることができる。なお、除雪以外に土砂や水たまりなどの用途にも利用可能である。
【発明を実施するための最良の形態】
【０００６】  以下、本発明の実施形態について説明する。
図において、１は合成樹脂製の除雪板で、その左右両端を緩やかに折曲した正面視略円弧形板体で、その凸面中央にＴ形の接続管２が図２のごとく固着されている。この接続管は端部が開放されるとともにその内面に雌ねじが刻設される。３は伸縮柄で、その一端に雄ねじを刻設した適宜長の外管４に継ぎ手５が設けられ、外管内に挿入可能な外径の内管６が接続されたもので、一方の管を一方向に回すと外管に対して内管が固定され、逆方向に回すと固定が解除されるもので、市販の除雪ブラシに用いているものと同様構成の機構である。７はハンドルで、内管の他端に固定される。以上が本発明の一実施形態である。
本発明使用時において、一般のスノーラッセルとして用いるときは、図２のごとく接続管の一方の雌ねじに伸縮柄の外管端に刻設されている雄ねじを螺着させ、除雪板に対する柄をほぼ直角位置とし、この除雪板にて雪面を押して除雪を行う。
次に、図３のように柄を付け替えると除雪板の角度が変わり、除雪板を手前に引いて除雪をすることができ、屋根の雪・雪庇などを落とすときに使うことができる。【０００７】  図４〜図９は本発明の他例を示すものである。
図において、１０は前例同様の除雪板、１１はその適所に複数の貫通孔を穿設してなるＴ形短管による接続管である。１２は前例と同様（一部を除く）の伸縮柄で、その一端にハンドルが取り付けられている。この伸縮柄の一部はより大径となり、かつ対向する一対の切除部が形成されて二股となる回動機構部１３が設けられている。この二股部分の内径は前記接続管１１の外径と等しくこの二股部分側面適所には貫通孔が穿設される。
この貫通孔は接続管１１の貫通孔と一致し、ここにボルト形状の主ピン１４が挿通し、ナット１５が２個螺着する。１６は頭部を大径とした丸棒による副ピンで、貫通孔に挿入される。この貫通孔より突出する部分に孔が穿設され、ここに割ピン１７が挿入係止される。伸縮柄の回動機構部に設けた副ピンより割りピンを抜き取ると副ピンを抜くことができ、柄を９０度主ピンを中心に回動させると接続管の他方の孔と副ピンの挿通していた孔とが一致し、ここに再び副ピンを挿入係止させることで、前記状態より除雪板を９０度回動させた位置とすることができ、前例と同様の効果を発揮することができる。【０００８】  本例では前例の螺着方式に代えて回動機構部方式を用いている。この回動機構部は既述のように、伸縮柄の一部を対向切除し、その内径は接続管の外径と一致している。
またこの回動機構部は主ピンを中心として回動可能であるとともに、副ピンにてその位置固定と変更が可能である。副ピンを抜いて回動させるとき、この二股部分は内在する接続管外径に沿って移動するため、一時的にその対向間隔が広がるが、図９のごとく主ピンの頭部およびナットは二股部外面よりいくらかの距離を持って位置しているので、この回動を妨げることはない。また、ダブルナット方式のため、主ピンに対するナット位置が安定的に固定される。なお、本例では副ピンの脱落防止として割りピン方式を用いたが、他方式例えば主ピンのごとく螺着方式としてもよい【０００９】  以上、本発明について記したが、本発明は柄に対して除雪板の角度位置変更が可能なところにその特徴を有するものである。従来品にはこの機能が無く、押して除雪を行うものとして制作されている。そのため、引いて除雪を使用とすると、除雪板の凸面に沿って雪が凹面側に逃げてしまい、目的を達することができない。しかし本発明では除雪板位置を９０度変更することができるために、除雪板の凸面を利用して引くことによる除雪が可能となったのである。なお、既述の例では初期位置において伸縮柄を除雪板の凸面中央に直角に取り付けるものとしたが、これに限らず他の角度設定として構成してもよい。
既述の例は実施の一例であり、近似の他の構成としてもよい。
以上のごとく、本発明によってより利用に便利なる有用なる除雪具を得ることができる。
【図面の簡単な説明】
【００１０】
【図１】本発明の平面図
【図２】本発明の正面図
【図３】本発明の正面図（除雪板移動時）
【図４】本発明の他例の平面図
【図５】本発明の他例の正面図
【図６】本発明の他例の正面図（除雪板回動時）
【図７】本発明の回動機構部における接続管との配置状態要部説明図
【図８】本発明の他例における要部構造説明図（正面視）
【図９】本発明の他例における要部構造説明図（平面視）
【符号の説明】
【００１１】  １  除雪板
２  接続管
３  伸縮柄
４  外管
５  継ぎ手
６  内管
７  ハンドル
１０  除雪板
１１  接続管
１２  伸縮柄
１３  回動機構部
１４  主ピン
１５  ナット
１６  副ピン
１７  割ピン
【図１】
2010090682.tif 000003
【図２】
2010090682.tif 000004
【図３】
2010090682.tif 000005
【図４】
2010090682.tif 000006
【図５】
2010090682.tif 000007
【図６】
2010090682.tif 000008
【図７】
2010090682.tif 000009
【図８】
2010090682.tif 000010
【図９】
2010090682.tif 000011